(57)【要約】【課題】  新旧制御キャリアの移行スケジュールに対応することができるとともに、制御キャリアの移行終了後以降（新制御キャリアのみが存在する場合）には旧制御キャリアのサーチを行わないようにする。【解決手段】  現在時刻と制御キャリア移行終了年月日とに基づいて制御キャリア移行終了を判定し、この判定結果に応じたキャリアサーチを選択する。【選択図】    図５
2005217930.tif 000002
【特許請求の範囲】
【請求項１】
旧制御キャリア又は新制御キャリアを使用して無線通信する移動通信端末において、
現在時刻を取得する時刻取得手段と、
前記新旧制御キャリアの移行期間情報を記憶する記憶手段と、
前記取得された現在時刻と前記移行期間情報とに基づいて制御キャリア移行状態を判定する判定手段と、
この判定結果に応じたキャリアサーチを選択するサーチ選択手段と、
を備えたことを特徴とする移動通信端末。
【請求項２】
前記時刻取得手段はユーザによる時刻設定が可能な内蔵時計であり、
前記判定手段は、前記ユーザによる設定時刻に基づいて制御キャリア移行終了を判定することを特徴とする請求項１に記載の移動通信端末。
【請求項３】
旧制御キャリア又は新制御キャリアを使用して無線通信する移動通信端末において、
前記新旧制御キャリアの移行期間に係る所定時間を計時するタイマと、
前記タイマのタイムアウトにより制御キャリア移行状態を判定する判定手段と、
この判定結果に応じたキャリアサーチを選択するサーチ選択手段と、
を備えたことを特徴とする移動通信端末。
【請求項４】
旧制御キャリア又は新制御キャリアを使用して無線通信する移動通信端末におけるキャリアサーチ方法であって、
現在時刻を取得する過程と、
前記取得された現在時刻と、予め保持された新旧制御キャリアの移行期間情報とに基づいて制御キャリア移行状態を判定する過程と、
この判定結果に応じたキャリアサーチを選択する過程と、
を含むことを特徴とするキャリアサーチ方法。
【請求項５】
旧制御キャリア又は新制御キャリアを使用して無線通信する移動通信端末におけるキャリアサーチ方法であって、
前記新旧制御キャリアの移行期間に係る所定時間を計時する過程と、
前記タイマのタイムアウトにより制御キャリア移行状態を判定する過程と、
この判定結果に応じたキャリアサーチを選択する過程と、
を含むことを特徴とするキャリアサーチ方法。
【発明の詳細な説明】
【技術分野】
【０００１】
本発明は、移動通信端末及びキャリアサーチ方法に関する。
【背景技術】
【０００２】
従来、ＰＨＳ（Personal Handyphone System）と呼ばれる簡易型携帯電話システムが実現され広く普及している。このＰＨＳは、第３世代移動通信システム（ＩＭＴ２０００）と使用周波数帯が隣接しており、その隣接帯付近に現行の制御キャリアが設けられていることから、干渉の影響が懸念されている。このため、ＰＨＳの制御キャリアを干渉の影響が軽減される新たな周波数帯に移行させることが検討されている。
【０００３】
図６は、制御キャリアの移行スケジュールを説明するための図である。図６において、平成２１年頃までの移行開始以前は現行の制御キャリア（以下、旧制御キャリアと称する）Ａのみが存在し、移動通信端末（以下、単に移動端末と称する場合がある）は旧制御キャリアＡのみを使用して基地局と通信する。次いで、平成２１〜２４年頃までの移行期間においては、旧制御キャリアＡと新規の制御キャリア（以下、新制御キャリアと称する）Ｂとが共存し、移動端末はいずれか捕捉した方の制御キャリアを使用して基地局と通信する。次いで、平成２４年頃の移行終了後以降は、新制御キャリアＢのみが存在し、移動端末は新制御キャリアＢのみを使用して基地局と通信する。
上記した移行スケジュールに対応するために、従来の移動端末は、常時、新旧双方の制御キャリアをサーチし、捕捉した方の制御キャリアを使用するようにしている。
【特許文献１】特開２００１−１０３５６９号公報
【発明の開示】
【発明が解決しようとする課題】
【０００４】
しかし、上述した従来の移動端末では、旧制御キャリアＡが存在しないにもかかわらず、制御キャリアの移行終了後以降においても旧制御キャリアＡをサーチするが、これは無駄な動作であり、サーチ時間の増大や省電力に反する等の問題がある。
【０００５】
本発明は、このような事情を考慮してなされたもので、その目的は、上記した新旧制御キャリアの移行スケジュールに対応することができるとともに、制御キャリアの移行終了後以降（新制御キャリアのみが存在する場合）には旧制御キャリアのサーチを行わないようにすることができる移動通信端末及びキャリアサーチ方法を提供することにある。
【課題を解決するための手段】
【０００６】
上記の課題を解決するために、本発明に係る移動通信端末は、旧制御キャリア又は新制御キャリアを使用して無線通信する移動通信端末において、現在時刻を取得する時刻取得手段と、前記新旧制御キャリアの移行期間情報を記憶する記憶手段と、前記取得された現在時刻と前記移行期間情報とに基づいて制御キャリア移行状態を判定する判定手段と、この判定結果に応じたキャリアサーチを選択するサーチ選択手段とを備えたことを特徴としている。
【０００７】
本発明に係る移動通信端末においては、前記時刻取得手段はユーザによる時刻設定が可能な内蔵時計であり、前記判定手段は、前記ユーザによる設定時刻に基づいて制御キャリア移行終了を判定することを特徴とする。
【０００８】
本発明に係る移動通信端末は、旧制御キャリア又は新制御キャリアを使用して無線通信する移動通信端末において、前記新旧制御キャリアの移行期間に係る所定時間を計時するタイマと、前記タイマのタイムアウトにより制御キャリア移行状態を判定する判定手段と、この判定結果に応じたキャリアサーチを選択するサーチ選択手段とを備えたことを特徴としている。
【０００９】
本発明に係るキャリアサーチ方法は、旧制御キャリア又は新制御キャリアを使用して無線通信する移動通信端末におけるキャリアサーチ方法であって、現在時刻を取得する過程と、前記取得された現在時刻と、予め保持された新旧制御キャリアの移行期間情報とに基づいて制御キャリア移行状態を判定する過程と、この判定結果に応じたキャリアサーチを選択する過程とを含むことを特徴としている。
【００１０】
本発明に係るキャリアサーチ方法は、旧制御キャリア又は新制御キャリアを使用して無線通信する移動通信端末におけるキャリアサーチ方法であって、前記新旧制御キャリアの移行期間に係る所定時間を計時する過程と、前記タイマのタイムアウトにより制御キャリア移行状態を判定する過程と、この判定結果に応じたキャリアサーチを選択する過程とを含むことを特徴としている。
【発明の効果】
【００１１】
本発明によれば、新旧制御キャリアの移行スケジュールに対応することができる。さらに、制御キャリアの移行終了後以降（新制御キャリアのみが存在する場合）には旧制御キャリアのサーチを行わないようにすることができる。また、新制御キャリア使用開始前には、新制御キャリアのサーチを行わないようにすることができる。
【発明を実施するための最良の形態】
【００１２】
以下、図面を参照し、本発明の一実施形態について説明する。
図１は、本発明の一実施形態に係る移動通信端末１の構成を示すブロック図である。なお、図１には、移動通信端末１の構成のうち、キャリアサーチ機能に係る構成を示し、その他の構成は省略している。
【００１３】
図１において、制御キャリア移行機能部１１は、基地局との通信に使用する制御キャリアをサーチする機能を有する。時計機能部１２は、時刻（日付を含む）を計時する機能、現在時刻（日付を含む）のユーザ設定機能、現在時刻（日付を含む）のリセット機能、及びアラーム機能を有する。アラーム機能は、アラーム発生日時が設定されることにより、当該日時と現在時刻を比較し、一致したときにアラームを発生する。
【００１４】
記憶部１３は、「新制御キャリア開始日」、「制御キャリア移行終了年月日」及び「旧キャリア動作状態テーブル」を予め記憶している。新制御キャリア開始日は、図６の移行期間（旧制御キャリアＡと新制御キャリアＢとが共存する期間）が開始し、新制御キャリアの使用が可能となる日付である。制御キャリア移行終了年月日は、該移行期間が終了し、新制御キャリアのみとなる日付である。
【００１５】
図２は、旧キャリア動作状態テーブル１３１の設定内容を示す図である。図２に示されるように、旧キャリア動作状態テーブル１３１には、４つの状況１〜４における各々の内容、具体的には、現在の時刻及び旧キャリア動作状態、その時点での操作（動作）内容、及び当該操作（動作）後の旧キャリア動作状態が設定されている。旧キャリア動作状態には、動作中と停止中とが定義されている。動作中では、新旧双方の制御キャリアをサーチする。停止中では、新制御キャリアのみをサーチする。旧キャリア動作状態テーブル１３１は、制御キャリア移行機能部１１によって参照される。
【００１６】
次に、本実施形態に係る移動通信端末１のキャリアサーチ動作を説明する。
先ず、制御キャリア移行機能部１１は、記憶部１３の「制御キャリア移行終了年月日」を時計機能部１２のアラーム発生日時に設定する。これにより、時計機能部１２の現在時刻が「制御キャリア移行終了年月日」に到達したときに、アラームが時計機能部１２から制御キャリア移行機能部１１へ出力される。これにより、制御キャリア移行機能部１１は、制御キャリア移行終了の判定を行うことができる。
【００１７】
また、制御キャリア移行機能部１１は、旧キャリア動作状態保持レジスタを有する。そして、制御キャリア移行機能部１１は、時計機能部１２の現在時刻、旧キャリア動作状態保持レジスタの保持値、及び操作（動作）内容に基づいて、旧キャリア動作状態テーブル１３１を参照し、該当する操作（動作）後の旧キャリア動作状態を旧キャリア動作状態保持レジスタに設定し直す。図３、図４は、旧キャリア動作状態保持レジスタの設定動作シーケンスを示す図である。
【００１８】
図３には、旧キャリア動作状態保持レジスタ１１１に「停止中」を設定する場合が示されている。図３において、制御キャリア移行機能部１１は、時計機能部１２の現在時刻が「制御キャリア移行終了年月日」に到達した場合（アラーム発生した場合）、又は、時計機能部１２の現在時刻が「制御キャリア移行終了年月日」以降の時刻にユーザ設定された場合に、旧キャリア動作状態保持レジスタ１１１に「停止中」を設定する。これは、図２の旧キャリア動作状態テーブル１３１の状況１に対応する。そして、当該現在時刻には、新制御キャリアのみが存在していると判断できる。
【００１９】
図４には、旧キャリア動作状態保持レジスタ１１１に「動作中」を設定する場合が示されている。図４において、制御キャリア移行機能部１１は、時計機能部１２の現在時刻がリセットされた場合、又は、時計機能部１２の現在時刻が「制御キャリア移行終了年月日」以前の時刻にユーザ設定された場合に、旧キャリア動作状態保持レジスタ１１１に「動作中」を設定する。これは、図２の旧キャリア動作状態テーブル１３１の状況２、３、４に対応する。そして、当該現在時刻には、旧制御キャリアが存在している可能性があると判断できる。
【００２０】
そして、制御キャリア移行機能部１１は、図５に示す処理フローに従って、制御キャリアのサーチを行う。制御キャリア移行機能部１１は、電源投入時等に図５の処理を開始する。図５において、制御キャリア移行機能部１１は、旧キャリア動作状態保持レジスタ１１１の保持値をリードし、旧キャリア動作状態を判断する（ステップＳ１）。この結果、旧キャリア動作状態が「動作中」ならば、旧制御キャリアのサーチを行う（ステップＳ２）。一方、旧キャリア動作状態が「停止中」ならば、旧制御キャリアのサーチは行わない。
【００２１】
次いで、新制御キャリア開始日と現在時刻を比較し、現在時刻が新制御キャリア開始日以降であれば、新制御キャリアありと判断し（ステップＳ３がＹＥＳ）、新制御キャリアのサーチを行う（ステップＳ４）。一方、現在時刻が新制御キャリア開始日以前であれば、新制御キャリアなしと判断し（ステップＳ３がＮＯ）、新制御キャリアのサーチは行わない。
【００２２】
次いで、制御キャリアの捕捉の有無を判断する（ステップＳ５）。この結果、制御キャリアが捕捉有りの場合には待ち受け処理へ移行し（ステップＳ６）、捕捉無しの場合には圏外処理へ移行する（ステップＳ７）。
【００２３】
上述したように本実施形態によれば、現在時刻と制御キャリア移行終了年月日とに基づいて制御キャリア移行終了を判定し、この判定結果に応じたキャリアサーチを選択する。これにより、旧制御キャリアが存在する可能性がある場合には旧制御キャリアのサーチを行い、一方、新制御キャリアのみが存在する場合には新制御キャリアのみをサーチし、旧制御キャリアのサーチは行わない。また、現在時刻と新制御キャリア開始日とに基づいて新制御キャリア開始を判定し、この判定結果に応じたキャリアサーチを選択する。これにより、新制御キャリアの使用開始前には新制御キャリアのサーチは行わない。この結果、効率のよいキャリアサーチを行うことが可能となり、サーチ時間の短縮や省電力化を図ることができる。
【００２４】
また、ユーザによる設定時刻（リセット時刻を含む）に基づいて制御キャリア移行終了を判定するので、ユーザによる時刻設定に対して柔軟に対応することができる。これにより、現在時刻の取得手段として移動通信端末の内蔵時計を利用し、構成の簡略化を図ることが容易となる。
【００２５】
なお、上述した実施形態では、移動通信端末１内に時計機能を具備することにより現在時刻を取得したが、移動通信端末１の外部装置から現在時刻を取得するようにしてもよい。
【００２６】
以上、本発明の実施形態を図面を参照して詳述してきたが、具体的な構成はこの実施形態に限られるものではなく、本発明の要旨を逸脱しない範囲の設計変更等も含まれる。
例えば、上述した実施形態では、「制御キャリア移行終了年月日」により絶対的に制御キャリア移行終了時点を設定したが、相対的に制御キャリア移行終了時点を設定するようにしてもよい。具体的には、製造時点や販売時点から制御キャリア移行終了時点までの所定時間を計時するタイマを設け、このタイマがタイムアウトしたときにアラームを発生する。これにより、制御キャリア移行機能部１１は、制御キャリア移行終了の判定を行うことができる。
【図面の簡単な説明】
【００２７】
【図１】本発明の一実施形態に係る移動通信端末１の構成を示すブロック図である。
【図２】同実施形態に係る旧キャリア動作状態テーブル１３１の設定内容を示す図である。
【図３】同実施形態に係る旧キャリア動作状態保持レジスタの設定動作シーケンスを示す第１の図である。
【図４】同実施形態に係る旧キャリア動作状態保持レジスタの設定動作シーケンスを示す第２の図である。
【図５】同実施形態に係るキャリアサーチの処理フローを示す図である。
【図６】制御キャリアの移行スケジュールを説明するための図である。
【符号の説明】
【００２８】
１…移動通信端末、１１…制御キャリア移行機能部、１２…時計機能部、１３…記憶部、１１１…旧キャリア動作状態保持レジスタ、１３１…旧キャリア動作状態テーブル。
【図１】
2005217930.tif 000003
【図２】
2005217930.tif 000004
【図３】
2005217930.tif 000005
【図４】
2005217930.tif 000006
【図５】
2005217930.tif 000007
【図６】
2005217930.tif 000008